(57)【要約】【課題】開閉片の回動を規制するロック筒を、片手で操作できるようにする。【解決手段】フック１０の鉤状部１開口から内側に向かって回動する開閉片２にロック筒１１を設けて進退可能とし、そのロック筒１１を前記鉤状部１の先端３に嵌まる方向へ付勢する。フック１０を手に持ちながら、付勢力に抗してロック筒１１を指で引けば、ロック筒１１と前記先端３との係合が解除でき、同じ手で開閉片２を内側へ回動させれば、鉤状部１を開口させることができる。また、開閉片２を、前記開口を閉じる位置に戻した後、ロック筒１１を引く指を放せば、ロック筒１１は前記付勢力により前進して鉤状部１の先端３に嵌るので、一連の操作が片手で可能である。そのとき、鉤状部１の先端３外周に設けた前記回動方向の対の係合面が、開閉片２に設けた同方向のスリット内壁１４ａに当接して、開閉片は横方向へ不動になる。このため、フック１０は、横方向の負荷に対して抵抗力が高まる。【選択図】図１
2006255297.tif 000002
【特許請求の範囲】
【請求項１】
安全帯の命綱先端に取付けられるフックの鉤状部１に、開閉片２の一端を回動自在に取付け、前記開閉片２の他端にロック筒１１をその筒軸方向に進退自在に設け、前記開閉片２の回動により前記他端が前記鉤状部１の先端３に係止するとともに、前記ロック筒１１が前記鉤状部１の先端３に嵌って前記開閉片２の回動を規制する安全帯用フックにおいて、
上記ロック筒１１を、上記鉤状部１の先端３に嵌まる方向へ付勢し進退可能とし、前記ロック筒１１が前進して前記鉤状部１の先端３に嵌まることにより上記開閉片２の他端と前記鉤状部１の先端３とを連結することを特徴とする安全帯用フック。
【請求項２】
上記開閉片２にバネ収納室２ｃを形成し、そのバネ収納室２ｃに上記筒軸方向のコイルバネＳ２を収納して、そのコイルバネＳ２の一端を開閉片２に係止するとともに、前記コイルバネＳ２の他端を上記ロック筒１１内に設けた係止部１１ｃに係止して、前記ロック筒１１は、前記コイルバネＳ２により付勢されることを特徴とする請求項１に記載の安全帯用フック。
【請求項３】
上記鉤状部１の先端３外周に、上記回動方向の対の係合面１３，１３を設け、前記対の係合面１３，１３が、それぞれ、前記先端３に嵌った上記ロック筒１１の内周面、又は、上記開閉片２の他端に形成した前記回動方向の係合面１４ａに当接することにより、前記開閉片２を前記回動方向に直交する方向へ不動にすることを特徴とする請求項１又は２に記載の安全帯用フック。
【請求項４】
前記ロック筒１１の外周に、指掛け用の突出部１６を設けたことを特徴とする請求項１乃至３のいずれかに記載の安全帯用フック。
【発明の詳細な説明】
【技術分野】
【０００１】
この発明は、高所作業の際に身に付けて使用する墜落防止用の安全帯を、その作業場所の固定物等に係合させるフックに関するものである。
【背景技術】
【０００２】
建設現場等における高所作業時には、墜落防止用の安全帯（安全ベルト）が使用される。安全帯は、命綱となるロープの一端が、作業者の身体に巻き付けられた胴ベルト等にリングを介して接続される。また、その他端は、フックを介して梁等の構造物や、あるいは親綱と呼ばれる水平な支持ワイヤ等、所定の固定物に係合される。この係合により、万一の際には、安全帯が作業者を落ちないように支え、その墜落を防ぐようになっている。
【０００３】
従来のフックの態様としては、例えば、特許文献１に示すように、Ｕ字型を成す鉤（かぎ）状部と、その鉤状部の開口を開閉する開閉片（外れ止め装置）、及びその開閉片の動きを規制する安全装置とからなるフックが一般的である。開閉片は、その一端が前記鉤状部後端に開閉自在に固定されており、他端は鉤状部先端に係合することにより前記開口を閉じるようになっている。
このフックを前記固定物に掛ける際には、安全装置を解除した上で、その係合対象となる固定物に開閉片を押し付ける。その開閉片が内側へ回動すると、鉤状部内に固定物が進入し、その固定物が鉤状部内に完全に収まれば、開閉片が元の状態に復帰し前記開口を閉じるようになっている。この状態で安全装置によって開閉片の回動動作が規制されているので、開閉片が不意に回動して開くことはない（例えば、特許文献１参照）。
【０００４】
また、特許文献２に示すフックは、同じくＵ字型の鉤状部の後端に開閉片（外れ止め装置）の一端を開閉自在に取り付け、その開閉片の他端にスライド自在のロック筒（安全環）を設け、その開閉片の他端と前記鉤状部の先端とをロック筒を介して固定できるようにしたカラビナである。そのロック筒を鉤状部の先端へ向かってスライドさせるとともに軸回りに回転させると、ロック筒の内周に形成された雌ねじ部に、鉤状部の先端に形成した雄ねじ部がねじ込まれて、開閉片は、鉤状部の開口を閉じた状態で固定される。
【特許文献１】特開平７−３１６８７号公報
【特許文献２】実開昭５８−１７４１５７号公報
【発明の開示】
【発明が解決しようとする課題】
【０００５】
一般に、この種の鉤状フックにおいて、前記開閉片には可動部分が介在するため、その開閉片に横方向（ねじれの方向）の負荷が作用した場合には、その開閉片やフックの係合部分が損傷して係合が外れやすいという問題がある。このため、国際規格（ＩＳＯ１０３３３−５  Ｐｅｒｓｏｎａｌｆａｌｌ−ａｒｒｅｓｔ  ｓｙｓｔｅｍ−Ｐａｒｔ５）では、その係合が外れないように、開閉片が横方向からの負荷に耐え得るべき強度を定めている。
この規格に対応するため、通常は、前記鉤状部及び開閉片がその所定のねじり方向の負荷に耐え得るよう、部材断面を大きくするなどの対応を行っている。しかし、フックは、所定の強度を有しつつ、軽量コンパクトであることが望ましいので、部材は軽量化、小型化したいという要請がある。
【０００６】
この点、特許文献２のフックは、前記ロック筒を介して前記開閉片と鉤状部先端とを固定するので、前後方向、横方向の各方向からの負荷に対しては、より均衡した強度を有しているといえる。
【０００７】
しかし、そのロック筒の進退及び回転操作は煩雑であるため、片手でそのフックを手に持ちさらに同じ手でロック筒を進退及び回転操作することはできない。したがって、フックの脱着は両手で行うことになる。高所の作業現場において、安全帯のフックを脱着する際に、両手を使用することは姿勢の安定上好ましくない。
【０００８】
そこで、この発明は、開閉片の回動を規制するロック筒を有するフックの開閉を、片手で操作できるようにすることを課題とする。
【課題を解決するための手段】
【０００９】
上記の課題を解決するために、この発明は、ロック筒を鉤状部の先端に嵌まる方向へ付勢したのである。このようにすれば、フックを手に持ちながら指でロック筒を後退させれば開閉片は回動可能な状態となり、その手で開閉片を引けばフックは開放する。また、開閉片を閉じるとともに、前記ロック筒を引く指を放せば、ロック筒は前記付勢力により前進して鉤状部先端に嵌る。このため、片手で操作可能である。
【発明の効果】
【００１０】
この発明は、以上のようにしたので、フックの開閉片の回動操作、及びその開閉片の回動を規制するロック筒の操作を片手ですることができる。
【発明を実施するための最良の形態】
【００１１】
上記手段の具体的実施形態として、安全帯の命綱先端に取付けられるフックの鉤状部に、開閉片の一端を回動自在に取付け、前記開閉片の他端にロック筒をその筒軸方向に進退自在に設け、前記開閉片の回動により前記他端が前記鉤状部の先端に係止するとともに、前記ロック筒が前記鉤状部の先端に嵌って前記開閉片の回動を規制する安全帯用フックにおいて、前記ロック筒を、前記鉤状部の先端に嵌まる方向へ付勢し進退可能とし、前記ロック筒が前進して前記鉤状部の先端に嵌まることにより上記開閉片の他端と前記鉤状部の先端とを連結するようにしたのである。
【００１２】
このようにすれば、フックを手に持ちながら、前記付勢力に抗してロック筒を指で引くことにより、ロック筒は後退して開閉片と鉤状部先端との係合が解除される。その解除状態において、同じ手で開閉片を操作すれば鉤状部開口が開放され、フックを所定の固定物に係合できるようになる。
また、開閉片を前記開口を閉じる位置に戻すとともに、そのロック筒を引く指を放せば、ロック筒は前記付勢力により前進して鉤状部先端に嵌る。
このように、フックを固定物に着脱する一連の動作が、片手で操作可能となる。
【００１３】
上記ロック筒を付勢する手段として、上記開閉片にバネ収納室を形成し、そのバネ収納室に上記筒軸方向のコイルバネを収納して、そのコイルバネの一端を開閉片に係止するとともに、前記コイルバネの他端を上記ロック筒内に設けた係止部に係止して、前記ロック筒は、前記コイルバネにより付勢されるようにした構成を採用し得る。
このようにすれば、ロック筒は、同軸方向のコイルバネにより安定的に付勢される。
【００１４】
上記の構成において、鉤状部の先端外周に、上記回動方向の対の係合面を設け、前記対の係合面が、それぞれ、前記先端に嵌った上記ロック筒の内周面、又は、上記開閉片の他端に形成した前記回動方向の係合面に当接することにより、開閉片を前記回動方向に直交する方向へ不動にするようにした構成も採用し得る。
このようにすれば、開閉片は、横方向（ねじれの方向）の負荷に対して抵抗力が高まるので、その横方向からの負荷に耐えて係合が外れにくくなる。
【００１５】
さらに、上記ロック筒の外周に指掛け用の突出部を設ければ、フックを手に持った際に、その突出部に指を掛ければロック筒を操作しやすい。
【実施例】
【００１６】
この発明の一実施例を、図１乃至図４に基づいて説明する。この実施例の安全帯用フック１０は、作業者の胴ベルト等に接続された安全帯の命綱（ロープ）の先端に取り付けられ、作業者は、フック１０を梁等の構造物や、あるいは親綱と呼ばれる水平な支持ワイヤ等、所定の固定物に係合し、安全帯を介して身体と固定物とを繋いだ状態で作業に取りかかる。また、作業場所を移動する際には、前記フック１０を固定物から取り外し、所定の作業場所に移動した後に、その場所にある固定物に再度そのフック１０を係合することとなる。
【００１７】
フック１０の構成は、図１に示すように、前記命綱を繋ぐ基部４から上方へ伸びて弧状に湾曲し先端３に至るＵ字型の鉤状部１と、その鉤状部１の後端５に回動自在に設けられた開閉片２とを備えている。
【００１８】
開閉片２は断面円形の棒状であり、その一端２ａが、前記鉤状部１の後端５にピン６を介して回動自在に取り付けられている。開閉片２は、図２に示す開口を閉じた状態から内側に向かって回動するようになっており、図示するバネＳ１により、前記開口を閉じる方向へ付勢される。開閉片２の他端２ｂには、前記ピン６と同軸方向のストッパピン８が設けられているので、開閉片２が開口を閉じると、そのストッパピン８が、前記鉤状部１の先端３の内側に設けた凹部９の底に当接することにより、開閉片２は、それ以上外側には回動しないようになっている。
【００１９】
また、開閉片２の他端２ｂには、図４に示すように、前記開閉片２の回動方向のスリット１４が設けられており、その内側に並行でフラットな対の係合面１４ａ，１４ａを形成している。なお、前記ストッパピン８は、この対の係合面１４ａ，１４ａ間を結んで設けられている。
【００２０】
その開閉片２の他端２ｂに、円筒状のロック筒１１がその筒軸方向に進退自在に設けられている。そのロック筒１１の進退方向は、棒状を成す開閉片２の軸方向と一致させている。また、そのロック筒１１の下端部外周には、全周に亘る指掛け用の突出部１６が設けられている。
開閉片２の前記スリット１４の底部には、その開閉片２の軸方向に長いバネ収納室２ｃが形成されている。そのバネ収納室２ｃに、コイルバネＳ２を、その軸心が前記ロック筒１１の筒軸方向と同方向となるように収納し、そのコイルバネＳ２の一端を前記バネ収納室２ｃの底部に係止する。
さらに、前記ロック筒１１内には、径方向のピン（係止部）１１ｃが設けられており、そのピン１１ｃに前記バネ収納室２ｃに収納されたバネＳ２の他端が係止されて、前記ロック筒１１は、前記コイルバネＳ２により、開閉片２の一端２ａ側から他端２ｂ側に向かって付勢されている。
また、そのロック筒１１のピン１１ｃは、図４（ａ）（ｂ）に示すように、前記スリット１４内を移動するようになっているので、ロック筒１１の筒軸方向の進退がガイドされる。
【００２１】
なお、係止部１１ｃの態様は、前記径方向のピン１１ｃには限定されず、コイルバネＳ２の他端を係止し得るロック筒１１内側に形成された突起、穴等の態様が考えられる。
【００２２】
一方、鉤状部１の先端３は、図４に示すように、前記開閉片２の回動方向に直交する方向（以下、横方向という）の厚さが薄く形成され、その両側に並行でフラットな係合面１３，１３を設けている。また、その先端３外側には、前記横方向の係合面１２が設けられて、先端３の下端には傾斜面１５が設けられている。
【００２３】
この安全帯用フック１０の作用を説明すると、図２に示すように、まず、開閉片２が鉤状部１の開口を閉じた状態において、胴ベルトに接続された所定の命綱（図示せず）の先端を基部４に繋ぐ。その基部４には、命綱が鉤状部１内で移動しないように移動防止装置７が設けられている。この状態で、そのフック１０の基部４を手で保持する。このとき、開閉片２のロック筒１１は、図中の上方へ前進して、鉤状部１の先端３に嵌っているので、開閉片２を内側へ引いても開閉片２は回動しないようになっている。
【００２４】
つぎに、人差し指をロック筒１１の突出部１６に掛けて、そのロック筒１１をバネＳ２の付勢力に抗して下方に引く。ロック筒１１が前記先端３から離れてその嵌合が解除されたら、その開閉片２を前記バネＳ１の付勢力に抗して内側に引いて回動させる（図１参照）。
【００２５】
開閉片２が内側へ回動すると、前記鉤状部１の先端３と後端５の間が開口するので（図３参照）、その開口から命綱を係止する固定物を挿入する。挿入後、開閉片２を引く力を緩めれば、開閉片２はバネＳ１の付勢力により前記開口を閉じる方向へ回動し、開閉片２の他端２ｂに設けた前記ストッパピン８が先端３の凹部９の底部に当接することにより、その回動が停止し、前記開口を閉じた状態に復帰する。
【００２６】
前記突出部１６に掛けている指を放すと、ロック筒１１は先端３側へ向かって前進してその先端３に嵌るとともに、その先端３外側の係合面１２が、ロック筒１１の内周面に当接する。この当接により、前記開閉片２の内側への回動が規制される。
また、その先端３が、開閉片２の他端２ｂに形成した前記スリット１４内に進入し、前端３の前記対の係合面１３，１３が、それぞれ内壁（係合面）１４ａ，１４ａに対向する。係合面１３と対応する内壁１４ａとは、僅かな隙間をもって対向するか、あるいは当接した状態にある。このため、スリット１４は、開閉片２の他端２ｂが横方向へ移動するのを規制し不動にする。
【００２７】
このように、鉤状部１の先端３と開閉片２の他端２ｂとが係止し、ロック筒１１を介して、両者が相互に前記回動方向及び横方向への動きが規制されることにより、鉤状部１、ロック筒１１、開閉片２が一体に力を受けるようになる。このため、墜落阻止時に、その力は、鉤状部１、ロック筒１１、開閉片２とからなる環状の部材全体に分散して作用し、各部材への荷重負担を軽減し得る。
また、開閉片２と鉤状部１との可動部分がしっかりと係止されるので、開閉片２に横方向の負荷が作用した場合、例えば、固定物に対してフック１０がねじれる方向に力が作用した場合等に、そのねじれに対してフック１０が耐えうる強度が強くなるという効果がある。
【００２８】
なお、鉤状部１の先端３の下端に前記傾斜面１５が設けられているので、開閉片２が開口を閉じる側に回動する際に前記ロック筒１１が前進した状態にあれば、そのロック筒１１の上端１１ｂがこの傾斜面１５に摺動し、ロック筒１１は、下方に押し下げられる。このため、開閉片２が完全に前記開口を閉じる前に、ロック筒１１に掛けた指を放しても、そのロック筒１１はスムースに前記先端３に嵌るようになっている。
【００２９】
なお、他の実施例として、例えば、図５（ａ）に示すように、前記鉤状部１の先端３と、開閉片２の他端２ｂとをフラットな面で軸方向に対向させ、先端３の外周面を前記回動方向の対の係合面１３，１３とし、その対の係合面１３，１３が、それぞれ、前記先端３に嵌った上記ロック筒１１の内周面１１ａに当接することにより、開閉片２を前記回動方向に直交する方向へ不動とした構成を採用してもよい。
また、図５（ｂ）に示すように、鉤状部１の先端３と開閉片２の他端２ｂとを、鉤状の段部、あるいは傾斜面からなる係合面１３，１４ａでもって対向させ、その両係合面１３，１４ａが対向又は当接することにより噛み合った状態において、ロック筒１１が先端３に嵌ることにより、先端３の外周面（係合面１３）がロック筒１１の内周面１１ａに当接するようにした構成を採用してもよい。
【図面の簡単な説明】
【００３０】
【図１】一実施例の使用状態を示す
【図２】同実施例の正面図で、開閉片により開口を閉じた状態を示す
【図３】図２の開口を開放した状態を示す
【図４】図２の要部拡大左側面図で、（ａ）はロック筒を前進させた状態、（ｂ）はロック筒を後退させた状態を示す
【図５】他の実施例の要部拡大図
【符号の説明】
【００３１】
１  鉤状部
２  開閉片
３  先端
４  基部
５  後端
６  ピン
７  移動防止装置
８  ストッパピン
９  凹部
１０  フック
１１  ロック筒
１２，１３  係合面
１４  スリット
１４ａ  内壁（係合面）
１５  傾斜面
１６  突出部
Ｓ１，Ｓ２  バネ
【図１】
2006255297.tif 000003
【図２】
2006255297.tif 000004
【図３】
2006255297.tif 000005
【図４】
2006255297.tif 000006
【図５】
2006255297.tif 000007